(57)【要約】【課題】複数の仮想付箋紙が表示されている場合でも、追加記入する対象の仮想付箋紙を容易に探索して追記でき、使用者の利便性を向上する。【解決手段】ＰＣ４のＣＰＵにより、ステップＳＳ１０で電子ペン２によるノート３０への記載に対応したストロークデータを生成し、ステップＳＳ２５とステップＳＳ３５でストロークデータを新規の仮想付箋紙に記入するか、又は既存の仮想付箋紙に追記するかのいずれかを選択し、追記が選択された場合、ステップＳＳ１１０とステップＳＳ１１５で既存ストロークデータのブロック中心位置と追記ストロークデータの記入開始位置を取得し、ステップＳＳ１２０、ステップＳＳ１２５、及びステップＳＳ１３０で記入開始位置から最も近いブロック中心位置に対応する既存ストロークデータを取得し、ステップＳＳ６０で、取得した既存ストロークデータに追記ストロークデータを追記する。【選択図】図８
2012208593.tif 000002
【特許請求の範囲】
【請求項１】
文書情報を表示する所定形状の表示オブジェクトを表示手段に表示可能な表示オブジェクト管理装置に接続する表示オブジェクト入力操作端末であって、
被筆記体への筆記内容に対応したデータ入力を行う電子筆記具の前記被筆記体における位置情報を検出可能な位置検出手段と、
前記位置検出手段における前記位置情報の検出結果に基づき、前記電子筆記具による前記被筆記体への記載に対応した入力ストロークデータを生成する入力ストロークデータ生成手段と、
前記入力ストロークデータ生成手段で生成した前記入力ストロークデータを、新規の表示オブジェクトに記入するか、又は既存の表示オブジェクトに追記するかのいずれかを選択する選択手段と、
前記選択手段によって前記入力ストロークデータを前記既存の表示オブジェクトに追記すると選択された場合、前記既存の表示オブジェクトにすでに記入された既存ストロークデータの前記位置検出手段の有効領域座標における記入領域の既存基準位置と、前記入力ストロークデータの前記位置検出手段の有効領域座標における記入領域の追記基準位置とを取得するデータ基準位置取得手段と、
前記追記基準位置から近い前記既存基準位置を検出し、それに対応する前記既存ストロークデータを取得する近接データ取得手段と、
前記近接データ取得手段で取得した前記既存ストロークデータに前記入力ストロークデータを追記するデータ追記手段と、
を有することを特徴とする表示オブジェクト入力操作端末。
【請求項２】
請求項１記載の表示オブジェクト入力操作端末において、
前記データ基準位置取得手段が取得する前記追記基準位置は、前記位置検出手段の有効領域座標における前記入力ストロークデータの記入領域の記入開始位置であることを特徴とする表示オブジェクト入力操作端末。
【請求項３】
被筆記体への筆記内容に対応したデータ入力を行う電子筆記具の前記被筆記体における位置情報を位置検出手段で検出して当該位置情報を入力するとともに、文書情報を表示する所定形状の表示オブジェクトを表示手段に表示可能な表示オブジェクト管理装置であって、
前記位置検出手段における前記位置情報の検出結果に基づき、前記電子筆記具による前記被筆記体への記載に対応した入力ストロークデータを生成する入力ストロークデータ生成手段と、
前記入力ストロークデータ生成手段で生成した前記入力ストロークデータを、新規の表示オブジェクトに記入するか、又は既存の表示オブジェクトに追記するかのいずれかを選択する選択手段と、
前記選択手段によって前記入力ストロークデータを前記既存の表示オブジェクトに追記すると選択された場合、前記既存の表示オブジェクトにすでに記入された既存ストロークデータの前記位置検出手段の有効領域座標における記入領域の既存基準位置と、前記入力ストロークデータの前記位置検出手段の有効領域座標における記入領域の追記基準位置とを取得するデータ基準位置取得手段と、
前記追記基準位置から最も近い前記既存基準位置を検出し、それに対応する前記既存ストロークデータを取得する近接データ取得手段と、
前記近接データ取得手段で取得した前記既存ストロークデータに前記入力ストロークデータを追記するデータ追記手段と、
を有することを特徴とする表示オブジェクト管理装置。
【請求項４】
被筆記体への筆記内容に対応したデータ入力を行う電子筆記具と、当該電子筆記具の前記被筆記体における位置情報を検出可能な位置検出手段と、を備える表示オブジェクト入力操作端末と、
文書情報を表示する所定形状の表示オブジェクトを表示領域中に表示可能な表示手段と、
前記位置検出手段で検出した前記位置情報を入力するとともに、前記表示手段に表示オブジェクトを表示可能な表示オブジェクト管理装置と、
で構成する表示オブジェクト入力表示システムであって、
前記表示オブジェクト入力操作端末、前記表示手段、又は前記表示オブジェクト管理装置が、
前記位置検出手段における前記位置情報の検出結果に基づき、前記電子筆記具による前記被筆記体への記載に対応した入力ストロークデータを生成する入力ストロークデータ生成手段と、
前記入力ストロークデータ生成手段で生成した前記入力ストロークデータを、新規の表示オブジェクトに記入するか、又は既存の表示オブジェクトに追記するかのいずれかを選択する選択手段と、
前記選択手段によって前記入力ストロークデータを前記既存の表示オブジェクトに追記すると選択された場合、前記既存の表示オブジェクトにすでに記入された既存ストロークデータの前記位置検出手段の有効領域座標における記入領域の既存基準位置と、前記入力ストロークデータの前記位置検出手段の有効領域座標における記入領域の追記基準位置とを取得するデータ基準位置取得手段と、
前記追記基準位置から近い前記既存基準位置を検出し、それに対応する前記既存ストロークデータを取得する近接データ取得手段と、
前記近接データ取得手段で取得した前記既存ストロークデータに前記入力ストロークデータを追記するデータ追記手段と、
を有することを特徴とする表示オブジェクト入力表示システム。
【請求項５】
請求項４記載の表示オブジェクト入力表示システムにおいて、
前記表示オブジェクト管理装置は、それぞれ識別情報が割り当てられた複数の前記表示オブジェクト入力操作端末と接続しており、
前記表示オブジェクト管理装置は、
前記既存の表示オブジェクトに関する各種情報を、当該既存の表示オブジェクトを作成した前記表示オブジェクト入力操作端末の前記識別情報に対応付けて記憶する記憶手段を備え、
前記近接データ取得手段と前記データ追記手段は、前記入力ストロークデータを生成した表示オブジェクト入力操作端末の識別情報に対応する前記追記基準位置、前記既存基準位置、及び前記既存ストロークデータを処理する
ことを特徴とする表示オブジェクト入力表示システム。
【請求項６】
位置検出手段で検出した被筆記体における電子筆記具の位置情報に基づき、前記電子筆記具による被筆記体への記載に対応した入力ストロークデータを生成する入力ストロークデータ生成手順と、
前記入力ストロークデータ生成手順で生成した前記入力ストロークデータを、新規の表示オブジェクトに記入するか、又は既存の表示オブジェクトに追記するかのいずれかを選択する選択手順と、
前記選択手順によって前記入力ストロークデータを前記既存の表示オブジェクトに追記すると選択された場合、前記既存の表示オブジェクトにすでに記入された既存ストロークデータの前記位置検出手段の有効領域座標における記入領域の既存基準位置と、前記入力ストロークデータの前記位置検出手段の有効領域座標における記入領域の追記基準位置とを取得するデータ基準位置取得手順と、
前記追記基準位置から最も近い前記既存基準位置を検出し、それに対応する前記既存ストロークデータを取得する近接データ取得手順と、
前記近接データ取得手順で取得した前記既存ストロークデータに前記入力ストロークデータを追記するデータ追記手順と、
を有することを特徴とする表示オブジェクト入力表示方法。
【請求項７】
位置検出手段で検出した被筆記体における電子筆記具の位置情報が入力されるとともに、文書情報を表示する所定形状の表示オブジェクトを表示手段に表示可能な表示オブジェクト管理装置に備えられたコンピュータに、
前記位置検出手段における前記位置情報の検出結果に基づき、前記電子筆記具による前記被筆記体への記載に対応した入力ストロークデータを生成する入力ストロークデータ生成手順と、
前記入力ストロークデータ生成手順で生成した前記入力ストロークデータを、新規の表示オブジェクトに記入するか、又は既存の表示オブジェクトに追記するかのいずれかを選択する選択手順と、
前記選択手順によって前記入力ストロークデータを前記既存の表示オブジェクトに追記すると選択された場合、前記既存の表示オブジェクトにすでに記入された既存ストロークデータの前記位置検出手段の有効領域座標における記入領域の既存基準位置と、前記入力ストロークデータの前記位置検出手段の有効領域座標における記入領域の追記基準位置とを取得するデータ基準位置取得手順と、
前記追記基準位置から最も近い前記既存基準位置を検出し、それに対応する前記既存ストロークデータを取得する近接データ取得手順と、
前記近接データ取得手順で取得した前記既存ストロークデータに前記入力ストロークデータを追記するデータ追記手順と、
を実行させるための表示オブジェクト管理プログラム。
【発明の詳細な説明】
【技術分野】
【０００１】
本発明は、表示画面上において文書情報を表示する表示オブジェクトの表示及び追記記入力が可能な表示オブジェクト入力操作端末、表示オブジェクト管理装置、表示オブジェクト入力表示システム、表示オブジェクト入力表示方法、及び表示オブジェクト管理プログラムに関する。
【背景技術】
【０００２】
近年では、パーソナルコンピュータなどの情報機器の表示画面上において、文字列などの文書情報を記入した表示オブジェクトを仮想的な付箋紙の形態で作成し表示するアプリケーション、又はＷＥＢサービスが普及している。なお、ＷＥＢサービスの場合は、クライアントである複数のパーソナルコンピュータが、サーバーで記憶管理されている共有ファイルとしての仮想付箋紙（表示オブジェクト）の情報をネットワークを介して送受信する。
【０００３】
このようにサーバーとクライアントがネットワークを介して共有ファイルを送受信して共有するファイル管理システムにおいて、クライアントがサーバーからダウンロードした共有ファイルを編集した際、その編集内容の種類毎に設定された編集レベルに応じて当該編集の反映を行うか否か判定する技術が提案されている（例えば、特許文献１参照）。
【先行技術文献】
【特許文献】
【０００４】
【特許文献１】特開２００４−１９９４０１号公報
【発明の概要】
【発明が解決しようとする課題】
【０００５】
しかしながら、上述した編集内容の具体的な例として、共有ファイルである仮想付箋紙（表示オブジェクト）の記載情報にさらに記載を追記したい場合があるが、上記従来技術ではサーバーに記憶されている複数の共有ファイルのうちから任意のものを追記対象として探索する機能がない。そして、表示画面上において共有ファイルの記載内容を示す仮想付箋紙（表示オブジェクト）が大量に表示されている場合には、追記対象の仮想付箋紙を探索する手間が煩雑であり、目視で見つけることが困難であった。
【０００６】
本発明の目的は、複数の表示オブジェクトが表示されている場合でも、追加記入する対象の表示オブジェクトを容易に探索して追記でき、使用者の利便性を向上可能な表示オブジェクト入力操作端末、表示オブジェクト管理装置、表示オブジェクト入力表示システム、表示オブジェクト入力表示方法、及び表示オブジェクト管理プログラムを提供することにある。
【課題を解決するための手段】
【０００７】
上記目的を達成するために、第１の発明は、文書情報を表示する所定形状の表示オブジェクトを表示手段に表示可能な表示オブジェクト管理装置に接続する表示オブジェクト入力操作端末であって、被筆記体への筆記内容に対応したデータ入力を行う電子筆記具の前記被筆記体における位置情報を検出可能な位置検出手段と、前記位置検出手段における前記位置情報の検出結果に基づき、前記電子筆記具による前記被筆記体への記載に対応した入力ストロークデータを生成する入力ストロークデータ生成手段と、前記入力ストロークデータ生成手段で生成した前記入力ストロークデータを、新規の表示オブジェクトに記入するか、又は既存の表示オブジェクトに追記するかのいずれかを選択する選択手段と、前記選択手段によって前記入力ストロークデータを前記既存の表示オブジェクトに追記すると選択された場合、前記既存の表示オブジェクトにすでに記入された既存ストロークデータの前記位置検出手段の有効領域座標における記入領域の既存基準位置と、前記入力ストロークデータの前記位置検出手段の有効領域座標における記入領域の追記基準位置とを取得するデータ基準位置取得手段と、前記追記基準位置から近い前記既存基準位置を検出し、それに対応する前記既存ストロークデータを取得する近接データ取得手段と、前記近接データ取得手段で取得した前記既存ストロークデータに前記入力ストロークデータを追記するデータ追記手段と、を有することを特徴とする。
【０００８】
本願第１発明においては、位置検出手段で検出した電子筆記具の位置情報が入力されるとともに、表示手段に表示オブジェクトを表示可能な表示オブジェクト管理装置に接続して表示オブジェクトを入力操作できる。
【０００９】
表示手段には、その表示領域中において使用者が任意の位置に複数の表示オブジェクトを作成し、その存在領域中に任意の文字データをストロークデータの形態で入力して表示させることができる。なお、表示領域中における表示オブジェクトの座標位置に関する指示及び操作は、別途他の操作機器によって行う。このように、表示手段は表示オブジェクトアプリケーションの表示に利用できる。
【００１０】
そこで本願第１発明においては、位置検出手段での位置情報の検出結果に基づいて、入力ストロークデータ生成手段が電子筆記具による被筆記体への筆記内容に対応した入力ストロークデータを生成する。また、選択手段によって、入力ストロークデータを、新規の表示オブジェクトに記入するか、又は既存の表示オブジェクトに追記するかのいずれかを選択する。これにより、使用者が電子筆記具を用いて被筆記体に実際に記載した筆記内容に対応する入力ストロークデータを生成でき、さらに使用者が当該入力ストロークデータを新規の表示オブジェクトに記入するか、又は既存の表示オブジェクトに追記するかを選択できる。
【００１１】
そこで使用者が、上記入力ストロークデータを既存の表示オブジェクトに追記すると選択した場合には、データ基準位置取得手段が、既存基準位置と追記基準位置とを取得する。ここで、既存基準位置とは、既存の表示オブジェクトにすでに記入された既存ストロークデータの位置検出手段の有効領域座標における記入領域の基準位置であり、つまり位置検出手段に重複する配置の上記被筆記体の有効領域座標上において過去に記載された各筆記内容のそれぞれの記載領域の基準位置と同等である。また、追記基準位置とは、入力ストロークデータの位置検出手段の有効領域座標における記入領域の基準位置であり、つまり上記被筆記体の有効領域座標上において今回記載した筆記内容の記載領域の基準位置と同等である。近接データ取得手段は、上記追記基準位置から近い既存基準位置を検出して、それに対応する既存ストロークデータを取得し、データ追記手段が、当該既存ストロークデータに上記入力ストロークデータを追記する。
【００１２】
これにより本願第１発明は、表示手段に大量の表示オブジェクトが表示されてそれらが重複するなどにより容易に見分けがつかない状況であっても、使用者は過去に被筆記体に記載した筆記内容を探してその記載領域の近傍に追記内容を筆記することで、自動的に対応する既存ストロークデータに入力ストロークデータを追記することができる。この結果、複数の表示オブジェクトが表示されている場合でも、追加記入する対象の表示オブジェクトを容易に探索して追記でき、使用者の利便性を向上できる。
【００１３】
第２の発明は、上記第１発明において、前記データ基準位置取得手段が取得する前記追記基準位置は、前記位置検出手段の有効領域座標における前記入力ストロークデータの記入領域の記入開始位置であることを特徴とする。
【００１４】
通常では追記目的の記載を行う場合、追記対象である過去の記載の近傍位置から追記の記載を開始することが自然である。そこで本願第２発明においては、位置検出手段の有効領域座標における入力ストロークデータの記入領域の記入開始位置を追記基準位置とすることで、被筆記体上に多くの過去の記載がある場合でも、追記対象の過去の記載を判定する精度を向上できる。
【００１５】
また、上記目的を達成するために、第３の発明は、被筆記体への筆記内容に対応したデータ入力を行う電子筆記具の前記被筆記体における位置情報を位置検出手段で検出して当該位置情報を入力するとともに、文書情報を表示する所定形状の表示オブジェクトを表示手段に表示可能な表示オブジェクト管理装置であって、前記位置検出手段における前記位置情報の検出結果に基づき、前記電子筆記具による前記被筆記体への記載に対応した入力ストロークデータを生成する入力ストロークデータ生成手段と、前記入力ストロークデータ生成手段で生成した前記入力ストロークデータを、新規の表示オブジェクトに記入するか、又は既存の表示オブジェクトに追記するかのいずれかを選択する選択手段と、前記選択手段によって前記入力ストロークデータを前記既存の表示オブジェクトに追記すると選択された場合、前記既存の表示オブジェクトにすでに記入された既存ストロークデータの前記位置検出手段の有効領域座標における記入領域の既存基準位置と、前記入力ストロークデータの前記位置検出手段の有効領域座標における記入領域の追記基準位置とを取得するデータ基準位置取得手段と、前記追記基準位置から近い前記既存基準位置を検出し、それに対応する前記既存ストロークデータを取得する近接データ取得手段と、前記近接データ取得手段で取得した前記既存ストロークデータに前記入力ストロークデータを追記するデータ追記手段と、を有することを特徴とする。
【００１６】
本願第３発明においては、位置検出手段で検出した電子筆記具の位置情報が入力されるとともに、表示手段に表示オブジェクトを表示できる。
【００１７】
表示手段には、その表示領域中において使用者が任意の位置に複数の表示オブジェクトを作成し、その存在領域中に任意の文字データをストロークデータの形態で入力して表示させることができる。なお、表示領域中における表示オブジェクトの座標位置に関する指示及び操作は、別途他の操作機器によって行う。このように、表示手段は表示オブジェクトアプリケーションの表示に利用できる。
【００１８】
そこで本願第３発明においては、位置検出手段での位置情報の検出結果に基づいて、入力ストロークデータ生成手段が電子筆記具による被筆記体への筆記内容に対応した入力ストロークデータを生成する。また、選択手段によって、入力ストロークデータを、新規の表示オブジェクトに記入するか、又は既存の表示オブジェクトに追記するかのいずれかを選択する。これにより、使用者が電子筆記具を用いて被筆記体に実際に記載した筆記内容に対応する入力ストロークデータを生成でき、さらに使用者が当該入力ストロークデータを新規の表示オブジェクトに記入するか、又は既存の表示オブジェクトに追記するかを選択できる。
【００１９】
そこで使用者が、上記入力ストロークデータを既存の表示オブジェクトに追記すると選択した場合には、データ基準位置取得手段が、既存基準位置と追記基準位置とを取得する。ここで、既存基準位置とは、既存の表示オブジェクトにすでに記入された既存ストロークデータの位置検出手段の有効領域座標における記入領域の基準位置であり、つまり位置検出手段に重複する配置の上記被筆記体の有効領域座標上において過去に記載された各筆記内容のそれぞれの記載領域の基準位置と同等である。また、追記基準位置とは、入力ストロークデータの位置検出手段の有効領域座標における記入領域の基準位置であり、つまり上記被筆記体の有効領域座標上において今回記載した筆記内容の記載領域の基準位置と同等である。近接データ取得手段は、上記追記基準位置から近い既存基準位置を検出して、それに対応する既存ストロークデータを取得し、データ追記手段が、当該既存ストロークデータに上記入力ストロークデータを追記する。
【００２０】
これにより本願第３発明は、表示手段に大量の表示オブジェクトが表示されてそれらが重複するなどにより容易に見分けがつかない状況であっても、使用者は過去に被筆記体に記載した筆記内容を探してその記載領域の近傍に追記内容を筆記することで、自動的に対応する既存ストロークデータに入力ストロークデータを追記することができる。この結果、複数の表示オブジェクトが表示されている場合でも、追加記入する対象の表示オブジェクトを容易に探索して追記でき、使用者の利便性を向上できる。
【００２１】
また、上記目的を達成するために、第４の発明は、被筆記体への筆記内容に対応したデータ入力を行う電子筆記具と、当該電子筆記具の前記被筆記体における位置情報を検出可能な位置検出手段と、を備える表示オブジェクト入力操作端末と、文書情報を表示する所定形状の表示オブジェクトを表示領域中に表示可能な表示手段と、前記位置検出手段で検出した前記位置情報を入力するとともに、前記表示手段に表示オブジェクトを表示可能な表示オブジェクト管理装置と、で構成する表示オブジェクト入力表示システムであって、前記表示オブジェクト入力操作端末、前記表示手段、又は前記表示オブジェクト管理装置が、前記位置検出手段における前記位置情報の検出結果に基づき、前記電子筆記具による前記被筆記体への記載に対応した入力ストロークデータを生成する入力ストロークデータ生成手段と、前記入力ストロークデータ生成手段で生成した前記入力ストロークデータを、新規の表示オブジェクトに記入するか、又は既存の表示オブジェクトに追記するかのいずれかを選択する選択手段と、前記選択手段によって前記入力ストロークデータを前記既存の表示オブジェクトに追記すると選択された場合、前記既存の表示オブジェクトにすでに記入された既存ストロークデータの前記位置検出手段の有効領域座標における記入領域の既存基準位置と、前記入力ストロークデータの前記位置検出手段の有効領域座標における記入領域の追記基準位置とを取得するデータ基準位置取得手段と、前記追記基準位置から近い前記既存基準位置を検出し、それに対応する前記既存ストロークデータを取得する近接データ取得手段と、前記近接データ取得手段で取得した前記既存ストロークデータに前記入力ストロークデータを追記するデータ追記手段と、を有することを特徴とする。
【００２２】
本願第４発明においては、位置検出手段で検出した電子筆記具の位置情報が入力される表示オブジェクト入力操作端末と、表示オブジェクトを表示可能な表示手段と、これら表示オブジェクト入力操作端末と表示手段に接続する表示オブジェクト管理装置とで構成している。
【００２３】
表示手段には、その表示領域中において使用者が任意の位置に複数の表示オブジェクトを作成し、その存在領域中に任意の文字データをストロークデータの形態で入力して表示させることができる。なお、表示領域中における表示オブジェクトの座標位置に関する指示及び操作は、別途他の操作機器によって行う。このように、表示手段は表示オブジェクトアプリケーションの表示に利用できる。
【００２４】
そこで本願第４発明においては、表示オブジェクト入力操作端末と表示手段と表示オブジェクト管理装置のいずれかにおいて、位置検出手段での位置情報の検出結果に基づいて、入力ストロークデータ生成手段が電子筆記具による被筆記体への筆記内容に対応した入力ストロークデータを生成する。また、選択手段によって、入力ストロークデータを、新規の表示オブジェクトに記入するか、又は既存の表示オブジェクトに追記するかのいずれかを選択する。これにより、使用者が電子筆記具を用いて被筆記体に実際に記載した筆記内容に対応する入力ストロークデータを生成でき、さらに使用者が当該入力ストロークデータを新規の表示オブジェクトに記入するか、又は既存の表示オブジェクトに追記するかを選択できる。
【００２５】
そこで使用者が、上記入力ストロークデータを既存の表示オブジェクトに追記すると選択した場合には、データ基準位置取得手段が、既存基準位置と追記基準位置とを取得する。ここで、既存基準位置とは、既存の表示オブジェクトにすでに記入された既存ストロークデータの位置検出手段の有効領域座標における記入領域の基準位置であり、つまり位置検出手段に重複する配置の上記被筆記体の記入領域座標上において過去に記載された各筆記内容のそれぞれの記載領域の基準位置と同等である。また、追記基準位置とは、入力ストロークデータの位置検出手段の有効領域座標における記入領域の基準位置であり、つまり上記被筆記体の記入領域座標上において今回記載した筆記内容の記載領域の基準位置と同等である。近接データ取得手段は、上記追記基準位置から近い既存基準位置を検出して、それに対応する既存ストロークデータを取得し、データ追記手段が、当該既存ストロークデータに上記入力ストロークデータを追記する。
【００２６】
これにより本願第４発明は、表示手段に大量の表示オブジェクトが表示されてそれらが重複するなどにより容易に見分けがつかない状況であっても、使用者は過去に被筆記体に記載した筆記内容を探してその記載領域の近傍に追記内容を筆記することで、自動的に対応する既存ストロークデータに入力ストロークデータを追記することができる。この結果、複数の表示オブジェクトが表示されている場合でも、追加記入する対象の表示オブジェクトを容易に探索して追記でき、使用者の利便性を向上できる。
【００２７】
第５の発明は、上記第４発明において、前記表示オブジェクト管理装置は、それぞれ識別情報が割り当てられた複数の前記表示オブジェクト入力操作端末と接続しており、前記表示オブジェクト管理装置は、前記既存の表示オブジェクトに関する各種情報を、当該既存の表示オブジェクトを作成した前記表示オブジェクト入力操作端末の前記識別情報に対応付けて記憶する記憶手段を備え、前記近接データ取得手段と前記データ追記手段は、前記入力ストロークデータを生成した表示オブジェクト入力操作端末の識別情報に対応する前記追記基準位置、前記既存基準位置、及び前記既存ストロークデータを処理することを特徴とする。
【００２８】
本願第５発明においては、表示オブジェクト管理装置が複数の表示オブジェクト入力操作端末と接続し、その記憶手段が、各表示オブジェクト入力操作端末に割り当てられた識別情報に対応付けて既存の表示オブジェクトに関する各種情報を記憶管理する。そして、表示オブジェクト管理装置における近接データ取得手段とデータ追記手段が、各入力ストロークデータを生成した表示オブジェクト入力操作端末の識別情報に対応する追記基準位置、既存基準位置、及び既存ストロークデータを処理する。これにより、複数の表示オブジェクト入力操作端末の間で情報が混乱することなく、機能的な並列処理が可能となる。
【００２９】
また、上記目的を達成するために、第６の発明は、位置検出手段で検出した被筆記体における電子筆記具の位置情報に基づき、前記電子筆記具による被筆記体への記載に対応した入力ストロークデータを生成する入力ストロークデータ生成手順と、前記入力ストロークデータ生成手順で生成した前記入力ストロークデータを、新規の表示オブジェクトに記入するか、又は既存の表示オブジェクトに追記するかのいずれかを選択する選択手順と、前記選択手順によって前記入力ストロークデータを前記既存の表示オブジェクトに追記すると選択された場合、前記既存の表示オブジェクトにすでに記入された既存ストロークデータの前記位置検出手段の有効領域座標における記入領域の既存基準位置と、前記入力ストロークデータの前記位置検出手段の有効領域座標における記入領域の追記基準位置とを取得するデータ基準位置取得手順と、前記追記基準位置から近い前記既存基準位置を検出し、それに対応する前記既存ストロークデータを取得する近接データ取得手順と、前記近接データ取得手順で取得した前記既存ストロークデータに前記入力ストロークデータを追記するデータ追記手順と、を有することを特徴とする。
【００３０】
本願第６発明においては、位置検出手段での位置情報の検出結果に基づいて、入力ストロークデータ生成手順が電子筆記具による被筆記体への筆記内容に対応した入力ストロークデータを生成する。また、選択手順によって、入力ストロークデータを、新規の表示オブジェクトに記入するか、又は既存の表示オブジェクトに追記するかのいずれかを選択する。これにより、使用者が電子筆記具を用いて被筆記体に実際に記載した筆記内容に対応する入力ストロークデータを生成でき、さらに使用者が当該入力ストロークデータを新規の表示オブジェクトに記入するか、又は既存の表示オブジェクトに追記するかを選択できる。
【００３１】
そこで使用者が、上記入力ストロークデータを既存の表示オブジェクトに追記すると選択した場合には、データ基準位置取得手順が、既存基準位置と追記基準位置とを取得する。ここで、既存基準位置とは、既存の表示オブジェクトにすでに記入された既存ストロークデータの位置検出手段の有効領域座標における記入領域の基準位置であり、つまり位置検出手段に重複する配置の上記被筆記体の有効領域座標上において過去に記載された各筆記内容のそれぞれの記載領域の基準位置と同等である。また、追記基準位置とは、入力ストロークデータの位置検出手段の有効領域座標における記入領域の基準位置であり、つまり上記被筆記体の有効領域座標上において今回記載した筆記内容の記載領域の基準位置と同等である。近接データ取得手順は、上記追記基準位置から近い既存基準位置を検出して、それに対応する既存ストロークデータを取得し、データ追記手順が、当該既存ストロークデータに上記入力ストロークデータを追記する。
【００３２】
これにより本願第６発明は、大量の表示オブジェクトが表示されてそれらが重複するなどにより容易に見分けがつかない状況であっても、使用者は過去に被筆記体に記載した筆記内容を探してその記載領域の近傍に追記内容を筆記することで、自動的に対応する既存ストロークデータに入力ストロークデータを追記することができる。この結果、複数の表示オブジェクトが表示されている場合でも、追加記入する対象の表示オブジェクトを容易に探索して追記でき、使用者の利便性を向上できる。
【００３３】
また、上記目的を達成するために、第７の発明は、位置検出手段で検出した被筆記体における電子筆記具の位置情報が入力されるとともに、文書情報を表示する所定形状の表示オブジェクトを表示手段に表示可能な表示オブジェクト管理装置に備えられたコンピュータに、前記位置検出手段における前記位置情報の検出結果に基づき、前記電子筆記具による前記被筆記体への記載に対応した入力ストロークデータを生成する入力ストロークデータ生成手順と、前記入力ストロークデータ生成手順で生成した前記入力ストロークデータを、新規の表示オブジェクトに記入するか、又は既存の表示オブジェクトに追記するかのいずれかを選択する選択手順と、前記選択手順によって前記入力ストロークデータを前記既存の表示オブジェクトに追記すると選択された場合、前記既存の表示オブジェクトにすでに記入された既存ストロークデータの前記位置検出手段の有効領域座標における記入領域の既存基準位置と、前記入力ストロークデータの前記位置検出手段の有効領域座標における記入領域の追記基準位置とを取得するデータ基準位置取得手順と、前記追記基準位置から近い前記既存基準位置を検出し、それに対応する前記既存ストロークデータを取得する近接データ取得手順と、前記近接データ取得手順で取得した前記既存ストロークデータに前記入力ストロークデータを追記するデータ追記手順と、を実行させる。
【００３４】
本願第７発明においては、表示オブジェクト管理装置が、位置検出手段で検出した電子筆記具の位置情報が入力されるとともに、表示手段に表示オブジェクトを表示できる。
【００３５】
表示手段には、その表示領域中において使用者が任意の位置に複数の表示オブジェクトを作成し、その存在領域中に任意の文字データをストロークデータの形態で入力して表示させることができる。なお、表示領域中における表示オブジェクトの座標位置に関する指示及び操作は、別途他の操作機器によって行う。このように、表示手段は表示オブジェクトアプリケーションの表示に利用できる。
【００３６】
そこで本願第７発明においては、位置検出手段での位置情報の検出結果に基づいて、入力ストロークデータ生成手段が電子筆記具による被筆記体への筆記内容に対応した入力ストロークデータを生成する。また、選択手段によって、入力ストロークデータを、新規の表示オブジェクトに記入するか、又は既存の表示オブジェクトに追記するかのいずれかを選択する。これにより、使用者が電子筆記具を用いて被筆記体に実際に記載した筆記内容に対応する入力ストロークデータを生成でき、さらに使用者が当該入力ストロークデータを新規の表示オブジェクトに記入するか、又は既存の表示オブジェクトに追記するかを選択できる。
【００３７】
そこで使用者が、上記入力ストロークデータを既存の表示オブジェクトに追記すると選択した場合には、データ基準位置取得手段が、既存基準位置と追記基準位置とを取得する。ここで、既存基準位置とは、既存の表示オブジェクトにすでに記入された既存ストロークデータの位置検出手段の有効領域座標における記入領域の基準位置であり、つまり位置検出手段に重複する配置の上記被筆記体の有効領域座標上において過去に記載された各筆記内容のそれぞれの記載領域の基準位置と同等である。また、追記基準位置とは、入力ストロークデータの位置検出手段の有効領域座標における記入領域の基準位置であり、つまり上記被筆記体の有効領域座標上において今回記載した筆記内容の記載領域の基準位置と同等である。近接データ取得手段は、上記追記基準位置から近い既存基準位置を検出して、それに対応する既存ストロークデータを取得し、データ追記手段が、当該既存ストロークデータに上記入力ストロークデータを追記する。
【００３８】
これにより本願第７発明は、表示手段に大量の表示オブジェクトが表示されてそれらが重複するなどにより容易に見分けがつかない状況であっても、使用者は過去に被筆記体に記載した筆記内容を探してその記載領域の近傍に追記内容を筆記することで、自動的に対応する既存ストロークデータに入力ストロークデータを追記することができる。この結果、複数の表示オブジェクトが表示されている場合でも、追加記入する対象の表示オブジェクトを容易に探索して追記でき、使用者の利便性を向上できる。
【発明の効果】
【００３９】
本発明によれば、複数の表示オブジェクトが表示されている場合でも、追加記入する対象の表示オブジェクトを容易に探索して追記でき、使用者の利便性を向上できる。
【図面の簡単な説明】
【００４０】
【図１】本発明の一実施の形態の仮想付箋紙入力表示システムの概略的構成を示す図である。
【図２】手書き入力装置の使用時の様子を表す、外観斜視図、概念的平面図、及び概念的側面図である。
【図３】電子ペンの内部構成を表す概念的平面図である。
【図４】手書き入力装置の機能的構成を表す機能ブロック図である。
【図５】コイルシートの内部構成を表す概念的平面図である。
【図６】新規の仮想付箋紙を作成した場合の手書き入力装置の操作例と表示部での表示例を表す図である。
【図７】新規のストロークデータとその関連情報を記憶した場合のストロークデータ管理テーブルを表す図である。
【図８】既存の仮想付箋紙に追記した場合の手書き入力装置の操作例と表示部での表示例を表す図である。
【図９】追記のストロークデータとその関連情報を表す図である。
【図１０】既存の仮想付箋紙に追記した場合のストロークデータ管理テーブルを表す図である。
【図１１】パーソナルコンピュータのＣＰＵが実行する制御手順を表すフローチャートである。
【図１２】図１１におけるステップＳＳ１００の追記対象選出処理で行われる制御処理の詳細を表すフローチャートである。
【発明を実施するための形態】
【００４１】
以下、本発明の一実施の形態を図面を参照しつつ説明する。
【００４２】
本発明の表示オブジェクト入力表示システムである本実施形態の仮想付箋紙入力表示システムＳは、図１に示すように、複数のパーソナルコンピュータ４（以下、ＰＣ４と略記する）及びそれぞれに直接接続する複数の手書き入力装置１と、これら複数のＰＣ４と通信ネットワークＮＷを介して相互に情報を送受可能に接続されたサーバー５とを有する。手書き入力装置１は、電子ペン２と座標検出装置３とを有しており、使用者が電子ペン２を利用して座標検出装置３に筆記入力したストロークデータを電子的に入力する操作端末である。なお、本実施形態においては、この手書き入力装置１が請求項４記載の表示オブジェクト入力操作端末に相当する。
【００４３】
ＰＣ４は、表示部４ａを備えた一般的な構成パーソナルコンピュータであり、上記手書き入力装置１から検出したストロークデータに基づいて仮想付箋紙を新規に作成したり、既存の仮想付箋紙に追記を行うよう後述の仮想付箋紙アプリケーションを処理する情報処理機器である。なお、本実施形態においては、仮想付箋紙が各請求項記載の表示オブジェクトに相当し、ＰＣが請求項４記載の表示手段に相当する。
【００４４】
仮想付箋紙管理装置としてのサーバー５は、一般的なコンピュータで構成されて仮想付箋紙サービスを行う情報処理機器である。このサーバー５は、各ＰＣ４から送信されたストロークデータとその関連情報（後述の図７での説明参照）及び各種指令に基づいて作成又は追記された仮想付箋紙を管理し、それら仮想付箋紙を仮想の掲示板に貼付する。各ＰＣ４は当該仮想掲示板を共有し、それぞれの表示部４ａの表示画面上で閲覧及び操作できる。なお、本実施形態においては、上記のサーバー５が請求項４記載の仮想付箋紙管理装置に相当する。また、図示する例では、各ＰＣ４とサーバー５を接続する通信ネットワークＮＷがケーブルを介した有線ネットワークで構成されているが、他にも無線ネットワークを介して接続してもよい。
【００４５】
手書き入力装置１は、図２（ａ）に示すように、電子筆記具である電子ペン２と、電子筆記装置である座標検出装置３とを有する。手書き入力装置１では、使用者が電子ペン２を持つ。電子ペン２は、後述のノートへの筆記内容に対応してデータ入力を行うためのものであり、筆記具としての機能に加え、位置情報すなわち座標データの入力手段として機能する。
【００４６】
図２（ａ）、図２（ｂ）、及び図２（ｃ）に示すように、座標検出装置３は、後述のノートを略覆うように所定の方向（図２（ｂ）中左右方向）に見開き可能な形状に構成された可塑性部材からなるシート体１０を有している。シート体１０は、左側コイルシート１００Ｌを備えた左側シート部１０Ｌと、右側コイルシート１００Ｒを備えた右側シート部１０Ｒとを有する。
【００４７】
そして、略ノート形状の被筆記体である上記所定の方向に見開き可能な形状のノート３０が、シート体１０に重なるように配置されている。なお、左側シート部１０Ｌ及び右側シート部１０Ｒに、図２（ａ）に示すようなノート保持部１１をそれぞれ設けてもよい。これにより、座標検出装置３を容易かつ確実にノート３０と一体化することができ、使用者による取り扱い性を向上することができる。
【００４８】
使用者は、電子ペン２を用いてノート３０の左筆記面３１Ｌや右筆記面３１Ｒに手書きの所望の文字列等を筆記で記入する。この筆記動作に対応した電子ペン２の移動により、筆記された筆記内容に対応した電子的な入力情報、すなわち後述のペン位置データ列が電子ファイルに保存される。その際、実際にインクを用いてノート３０の左筆記面３１Ｌや右筆記面３１Ｒ等にページを切り替えながら筆記が行われるのと同様、使用者が後述のページ切替ボタンを操作することにより、電子ファイルのページ切り替え（ページ送り又はページ戻し）を行いながら保存することができる。なお、本実施形態においては、使用者が各ページにおいて比較的余裕のある分散した配置で所望の文字列などを筆記記入することを前提とする。
【００４９】
使用者が手書き入力装置１を使用する際には、電子ペン２に備えられた図示しない電源スイッチがオンされる。電子ペン２は、図３及び図４に示すように、先端に設けられたペン先２ａと、永久磁石４７と、コイル４４と、コンデンサ４５と有する。また、当該電子ペン２は、ＬＣ発振回路４１と、先端スイッチ４２と、電子ペン２全体の制御を行う制御部４６及び上記コンデンサ４５が配置された制御基板４０と、電池４３とを有する。なお、上記ＬＣ発振回路４１は発振回路に限られず、共振回路で構成したものでもよい。
【００５０】
先端スイッチ４２は、ペン先２ａの筆記面３１Ｌ，３１Ｒへの接触状態に応じて動作するスイッチである。また、この先端スイッチ４２の動作により、コイル４４からの交番磁界（後述）の発生と停止を切り替えるための指令信号Ｓ０を、制御部４６に対して出力する。この先端スイッチ４２は、使用者が文字等を筆記するために、ペン先２ａを筆記面３１Ｌ，３１Ｒに押しつけた（ペンダウンした）ときにオンとなる。この場合、制御部４６に対して指令信号Ｓ０が出力される。一方、使用者が文字等の筆記を止め、ペン先２ａを筆記面３１Ｌ，３１Ｒから離した（ペンアップした）ときにオフとなる。この場合、制御部４６に対して指令信号Ｓ０は出力されない。
【００５１】
ＬＣ発振回路４１は、交番磁界（以下適宜、単に「磁界」と称する）を生成して出力するための回路である。ＬＣ発振回路４１のコイル４４は、永久磁石４７に巻回するように配置されると共に、コンデンサ４５と電気的に接続されており、ＬＣ発振回路４１で生成された磁界を発生する。ＬＣ発振回路４１がコイル４４から磁界を発生させるか否かは、先端スイッチ４２のオン又はオフに応じた制御部４６による制御に基づき切り替えられる。すなわち、上記ペンダウン時で先端スイッチ４２がオンとなった場合、上記指令信号Ｓ０が入力された制御部４６が、コイル４４から所定の周波数の磁界を発生させるようにＬＣ発振回路４１を制御する。一方、上記ペンアップ時で先端スイッチ４２がオフとなった場合、上記指令信号Ｓ０が入力されていない制御部４６が、コイル４４から磁界を発生させないようＬＣ発振回路４１を制御する。
【００５２】
電池４３は、電子ペン２の電源スイッチがオンにされることで、制御部４６やＬＣ発振回路４１等に電力を供給する。
【００５３】
一方、座標検出装置３は、図４に示すように、コイルシート１００と、制御回路部２０とを有する。なお、コイルシート１００と制御回路部２０とは、信号ラインを介して接続されている。
【００５４】
コイルシート１００は、図５に示すように、センスコイル部１１０を含む。すなわち、図５に示すように配置されたセンスコイル部１１０が例えば外形が長方形の薄板状に樹脂成形されて、コイルシート１００が構成されている。
【００５５】
センスコイル部１１０は、図５に示すように、ｘ軸方向に配列されたｍ個のループ状のセンスコイルＸ１〜Ｘｍと、ｙ軸方向に配列されたｎ個のループ状のセンスコイルＹ１〜Ｙｎとによって構成されている。なお、センスコイル部１１０を構成するｍ個のセンスコイルＸ１〜Ｘｍ及びｎ個のセンスコイルＹ１〜Ｙｎのそれぞれは、電子ペン２のコイル４４でそれぞれ発生された磁界を受信可能なコイルであり、各請求項記載の位置検出手段に相当する。センスコイルＸ１〜ＸｍとセンスコイルＹ１〜Ｙｎとは、互いに直交した位置関係で配置されている。また、センスコイルＸ１〜Ｘｍ，Ｙ１〜Ｙｎは、コイル面方向がノート３０の筆記面３１Ｌ，３１Ｒの方向と略平行となっている。さらに、センスコイルＸ１〜Ｘｍ，Ｙ１〜Ｙｎは、例えば表面に絶縁被膜層が形成された銅線によって形成されている。またさらに、センスコイルＸ１〜Ｘｍ，Ｙ１〜Ｙｎは、図示及び説明を省略する引き出し線により後述するマルチプレクサ６２に接続されている。そして、センスコイル部１１０のスキャン処理が開始され、センスコイルＸ１〜Ｘｍ，Ｙ１〜Ｙｎが電子ペン２のコイル４４で発生された磁界を受信することによって、言い換えれば、センスコイルＸ１〜Ｘｍ，Ｙ１〜Ｙｎとコイル４４で発生された磁界との電磁誘導によって、当該センスコイルＸ１〜Ｘｍ，Ｙ１〜Ｙｎには、起電力が発生する。すなわち、センスコイルＸ１〜Ｘｍ，Ｙ１〜Ｙｎは、コイル４４との磁気結合によって、信号Ｓ１（図４参照）を発生する。
【００５６】
センスコイルＸ１〜Ｘｍは、それぞれ、ｘ軸方向の幅Ｐ１の辺とＰ１より長いｙ軸方向の長さＰ２の辺とを備えた、略長方形状に形成されている。センスコイルＸ１〜Ｘｍのそれぞれは、所定の一定ピッチでｘ軸方向に連続して配列されている。例えば、隣接するセンスコイルＸ１〜Ｘｍは、Ｐ１の２分の１のピッチでそれぞれ重ねられている。
【００５７】
センスコイルＹ１〜Ｙｎは、それぞれ、ｘ軸方向の幅Ｐ３の辺とＰ３より短いｙ軸方向の長さＰ１の辺とを備えた、略長方形状に形成されている。センスコイルＹ１〜Ｙｎのそれぞれは、所定の一定ピッチでｙ軸方向に連続して配列されている。例えば、隣接するセンスコイルＹ１〜Ｙｎは、Ｐ１の２分の１のピッチでそれぞれ重ねられている。
【００５８】
なお、図５では、視覚的にわかりやすくするよう、便宜上、センスコイルＸ１〜ＸｍとセンスコイルＹ１〜Ｙｎとの各辺がそれぞれ重ならないようにしており、上記ピッチで配列された状態では図示されていない。また、図５では、後述するマルチプレクサ６２に入る引き出し線を省略してセンスコイルＸ１〜Ｘｍ，Ｙ１〜Ｙｎの形状を図示している。
【００５９】
図４に戻り、制御回路部２０は、マイコン８０と、マルチプレクサ６２（以下適宜、「ＭＵＸ６２」と称する）と、増幅回路６４と、整流回路６６と、リミッタ６８と、通信インターフェース６９と、フラッシュメモリ７０と、ページ切替ボタン７１とを備えている。
【００６０】
マイコン８０は、ＣＰＵ８０ａと、ＲＯＭ８０ｂと、ＲＡＭ８０ｃと、その他のＡ／Ｄ変換機能部や割り込み機能部等とを、一つの集積回路として構成したものである。このマイコン８０は、座標検出装置３で実行される各種の処理を制御し、その他の周辺回路の動作状態を制御する。
【００６１】
ＭＵＸ６２は、マイコン８０からのコイル選択信号Ｓ３に基づき、センスコイル部１１０のセンスコイルＸ１〜Ｘｍ，Ｙ１〜Ｙｎを１つずつ順番に選択する。そして、ＭＵＸ６２は、選択されたセンスコイルＸ１〜Ｘｍ，Ｙ１〜Ｙｎにおいて発生された上記信号Ｓ１を入力し、対応する信号Ｓ１１を増幅回路６４に出力する。
【００６２】
増幅回路６４は、ＭＵＸ６２から入力される上記信号Ｓ１１を増幅する。増幅回路６４で増幅された信号Ｓ１２すなわち電子ペン入力検知信号Ｓ１２は、リミッタ６８に入力される。リミッタ６８は、増幅回路６４から入力された信号Ｓ１２を周波数及び位相情報だけのデジタル信号Ｓ１５に処理してマイコン８０の割り込み入力に入力する。マイコン８０は、リミッタ６８から入力された信号Ｓ１５の周期をタイマー等により計測することにより、上記センスコイルＸ１〜Ｘｍ，Ｙ１〜Ｙｎからの信号Ｓ１の周波数を判定して、現在スキャンしているセンスコイル部１１０のセンスコイルＸ１〜Ｘｍ，Ｙ１〜Ｙｎのコイル番号と共にＲＡＭ８０ｃに記憶する。
【００６３】
また、増幅回路６４で増幅された別の信号Ｓ１３は、整流回路６６に入力される。整流回路６６は、増幅回路６４から入力された信号Ｓ１３を振幅検波した後、平滑化して直流信号に変換する。整流回路６６で振幅検波された信号Ｓ１４は、マイコン８０に入力される。マイコン８０は、前述したようにＡ／Ｄ変換機能を備えており、上記入力された振幅検波後の信号Ｓ１４をデジタル信号に変換する。このとき、マイコン８０の上記ＲＯＭ８０ｂには、各センスコイルＸ１〜Ｘｍ，Ｙ１〜Ｙｎの検出レベルと、電子ペン２とノート３０の筆記面３１Ｌ，３１Ｒとの接触点の座標データのオフセット値とを対応付けて記憶する位置座標テーブルが記憶されている（詳細な説明は省略する）。マイコン８０は、上記デジタル信号に対し、位置座標テーブルを適用することにより、電子ペン２の位置情報、すなわち、ｘ軸方向のｘ座標及びｙ軸方向のｙ座標を算出する。なお、算出された位置情報は後述の周辺回路７０のフラッシュメモリ７０に記憶される。本実施形態の例では、これら算出された複数の位置情報の集合がそれぞれの検出順を認識可能に時系列に対応して並べられ、このようにまとめられたデータ群がストロークデータを構成する。なお、上記の検出順を認識するために、時系列対応で配列する以外にも、各位置情報にそれぞれ検出時間を対応させて記憶してもよい。以上のように構成されたストロークデータは、その構成内容を上位概念的に捉えると時系列対応位置データ群と称呼できる。
【００６４】
通信インターフェース６９は、フラッシュメモリ７０に保存された複数の位置情報を含むストロークデータなどの各種情報を上記ＰＣ４に送信したり、またＰＣ４から指令などを受信するためのインターフェースである。具体的には、通信インターフェース６９は、例えばＵｎｉｖｅｒｓａｌ  Ｓｅｒｉａｌ  Ｂｕｓ（ＵＳＢ）接続のためのＵＳＢインターフェースや、無線又は有線のネットワークインターフェースである。
【００６５】
フラッシュメモリ７０には、電子ファイルが予め用意されており、マイコン８０で算出された複数の位置情報に基づくストロークデータ等が、上記電子ファイルに書き込まれ、保存される。また、このフラッシュメモリ７０には当該手書き入力装置１の個体を識別可能に割り当てられた識別情報としての端末ＩＤを記憶しており、後述するようにＰＣ４がストロークデータとその関連情報（後述の図７での説明参照）をサーバー５へ送信する際にはこの端末ＩＤも併せて送信して、当該ストロークデータの送信元をサーバー５に識別させる。そしてサーバー５は、当該端末ＩＤに対応して使用者別に仮想付箋紙の処理と管理を行う。
【００６６】
ページ切替ボタン７１は、使用者が現在どのページを見開いているかを示す記入ページ情報（後述の図７等参照）を変更するボタンである。本実施形態では、使用者が上記ノート３０のページをめくる度に、そのめくり方向に正確に対応してページ切替ボタン７１を操作することを前提とする。これにより、当該手書き入力装置１のマイコン８０は、その時点でノート３０が見開いてるページを常に正確に認識する。
【００６７】
（Ａ）仮想付箋紙の表示と、新規の仮想付箋紙の作成
次に、本実施形態の仮想付箋紙入力表示システムＳにおいて、新規の仮想付箋紙を作成した場合の手書き入力装置１の操作例を図６（ａ）に、この操作に対応して当該手書き入力装置１に接続するＰＣ４の表示部４ａでの表示例を図６（ｂ）に示す。図示する例では、表示部４ａの表示領域中で、既に４つの仮想付箋紙３０１〜３０４が作成されて貼付表示されていたところ、新たに５つめの仮想付箋紙３０５が作成されて貼付表示されたばかりの状態を示している。なお、新規のものを含めた３つの仮想付箋紙３０３，３０４，３０５は当該表示部４ａを備えるＰＣ４の使用者によって作成されたものであり、他の２つの仮想付箋紙３０１，３０２は他のＰＣ４の使用者によって作成されたものである。各仮想付箋紙は作成した使用者別、つまり上述した端末ＩＤ別に異なる色で表示されている。
【００６８】
各仮想付箋紙３０１〜３０５は、それぞれ所定の大きさの矩形形状に形成されており、上記手書き入力操作端末１に筆記入力されたストロークデータが記入されている。このストロークデータは、複数の文字からなる通常の文字列で記入されてもよいし、それ以外にも使用者が任意に筆記入力した図形などをそのまま記入してもよい。なお、図示の煩雑を避けるために、２つの仮想付箋紙３０４，３０５だけストロークデータを表示し、他の仮想付箋紙においてはストロークデータを「・・・」で略記している。
【００６９】
また、各ストロークデータの長さや大きさによって各仮想付箋紙３０１〜３０５の大きさを適宜調整して変更したり、それぞれの表示位置を任意の位置へ移動させることや、不要になったものを消去させることができる。このような仮想付箋紙アプリケーション及び仮想付箋紙サービスを利用することで、各使用者は断片的な文書情報を手書き入力による自由な筆記態様で表示装置３の表示画面上に一時的に表示させることができる。このように構成された仮想付箋紙入力表示システムＳによれば、互いに遠隔地にいる複数の使用者が、それぞれのアイデアを記載した仮想付箋紙３０１〜３０５を各ＰＣ４の表示部４ａで表示して、共通のテーマに基づく検討作業、いわゆるブレインストーミングなどに利用できる。
【００７０】
ここで、新規の仮想付箋紙を作成する手順としては、まず使用者がＰＣ４に備えられているマウスなどの適宜のポインティングデバイス（特に図示せず）を操作することで表示部４ａの表示画面上のカーソル３１０を移動させる。そしてこのカーソル３１０の移動操作により、当該表示画面の表示領域座標Ｘｓ−Ｙｓにおける任意の位置に新規の仮想付箋紙を貼付表示させる貼付基準位置（ｘｓ，ｙｓ）を指定する。なお、表示部４ａの表示画面上に設定される上記表示領域座標Ｘｓ−Ｙｓとは、当該表示画面の正面左上の頂点位置を原点として右方向にＸｓ軸を、下方向にＹｓ軸をそれぞれ対応させて設定した直交平面座標である。その後使用者は、手書き入力装置１のノート３０の任意のページ（図示する例ではＩページ目）で、記入領域座標Ｘｔ−Ｙｔにおける任意の位置に所望の記載（図示する例では「２／２５、１０時打ち合わせ予定」）を電子ペン２で筆記記入する。なお、手書き入力装置１のノート３０の各筆記面３１Ｌ，３１Ｒのそれぞれに設定される上記記入領域座標Ｘｔ−Ｙｔとは、当該ページの正面左上の頂点位置を原点として右方向にＸｔ軸を、下方向にＹｔ軸をそれぞれ対応させて設定した直交平面座標である。また、このノート３０の各筆記面３１Ｌ，３１Ｒのそれぞれの記入領域座標Ｘｔ−Ｙｔは、上記図５に示したセンスコイル部１１０の有効領域座標ｘ−ｙと一致する。ＰＣ４は、上記筆記記入された記載に対応するストロークデータを座標検出装置３のセンスコイル部１１０から検出し、また上記貼付基準位置（ｘｓ，ｙｓ）を含む関連情報を対応付けて記憶する。ここで本実施形態の例におけるストロークデータの関連情報について説明すると、当該ストロークデータの記入順を示す情報と、記入ページの情報と、記入時間の情報と、上記貼付基準位置（ｘｓ，ｙｓ）の各情報の集合が関連情報となる（後述の図７参照）。
【００７１】
そして、使用者がＰＣ４に対して所定の作成操作を行うことにより、検出したばかりの上記ストロークデータとその関連情報を、作成指令及び上記端末ＩＤとともにサーバー５へ送信する。サーバー５は受信したストロークデータを記入した新規の仮想付箋紙を上記端末ＩＤに対応する色で作成し、仮想掲示板上における上記表示領域座標Ｘｓ−Ｙｓと同等の座標上で上記貼付基準位置（ｘｓ，ｙｓ）に貼付する。図示する例では、貼付基準位置（ｘｓ，ｙｓ）が矩形形状の仮想付箋紙の左上の頂点位置に設定されており、これを原点として右方向にＸｆ軸を、下方向にＹｆ軸をそれぞれ対応させた直交平面座標である付箋紙座標Ｘｆ−Ｙｆが、各仮想付箋紙の貼付領域上に設定されている。ストロークデータは、付箋紙座標Ｘｆ−Ｙｆ上で原点（表示領域座標Ｘｓ−Ｙｓ上の貼付基準位置（ｘｓ，ｙｓ））の近傍から記入される。各ＰＣ４は、サーバー５が保持する仮想掲示板を共有しているため、各表示部４ａの表示画面上で同等に新規の仮想付箋紙が貼付表示される。
【００７２】
なお、図示する例では、手書き入力装置１のノート３０において、上述した新規の記載（「２／２５、１０時打ち合わせ予定」）と同じＩページ目に、他の既存の記載（図示する例では、「処理順を担当者に確認」；仮想付箋紙３０４記入）が記入されている。
【００７３】
上記の処理に対応して、ＰＣ４がストロークデータとその関連情報を記憶するストロークデータ管理テーブルを、図７に概念的に示す。これは、ＰＣ４の記憶部（図示省略）に記憶される情報である。この図７において、当該ストロークデータテーブルでは、記入順に付されたＮｏ．にそれぞれ対応付けて、ストロークデータと、記入ページと、記入時間と、貼付基準位置（ｘｓ，ｙｓ）の各情報が記憶されている。
【００７４】
ストロークデータは、上述したように、センスコイル部１１０で検出された複数のペン位置情報の集合で構成されている。つまりこれは、上記記入領域座標Ｘｔ−Ｙｔ上のペン接触位置（ｘｔ，ｙｔ）の集合であり、図中では容易に認識できるよう対応するストロークデータの画像も併せて示している。記入ページは、当該ストロークデータが記入されたノート３０のページの情報である。記入時間は、当該ストロークデータが記入された時間の情報である。貼付基準位置（ｘｓ，ｙｓ）は、上述した表示領域座標Ｘｓ−Ｙｓ上でのカーソル３１０の操作により位置指定された情報である。なお、上記のＮｏ．、記入ページ、記入時間、及び貼付基準位置（ｘｓ，ｙｓ）が、対応するストロークデータの関連情報となる。
【００７５】
使用者がＰＣ４に対して上記の作成操作を行うたびに、ストロークデータと関連情報が当該ストロークデータ管理テーブルに追加して記憶されるとともに、サーバー５にも同等の情報が送信される。また、これを受信したサーバー５においても、同等のストロークデータ管理テーブルを記憶する。なお、特に図示しないが、サーバー５側でこのストロークデータ管理テーブルを記憶する記憶部が、請求項５に記載の記憶手段に相当する。
【００７６】
（Ｂ）既存の仮想付箋紙への追記
次に、上記図６に対応する図８を参照して、既存の仮想付箋紙に追記を行う場合の手順について説明する。まず、使用者は、手書き入力装置１のノート３０のページをめくって追記を行う対象の既存の記載を目視で探す。なお、このページめくり操作においては、上述したように、上記ページ切替ボタンを正確に操作する。そして、追記対象の既存の記載（図示する例では「２／２５、１０時打ち合わせ予定」；仮想付箋紙３０５記入）を見つけた際に、使用者はその近傍位置に電子ペン２で所望の追記の記載（図示する例では「→１３時に変更」）を筆記記入する。
【００７７】
その後に使用者がＰＣ４に対して所定の追記操作を行う。これにより、ＰＣ４は、上記の筆記記入された追記記載に対応するストロークデータとともに、その追記記載の記入領域座標Ｘｔ−Ｙｔにおける記入開始位置（ｅｘ，ｅｙ）を含めた関連情報（後述の図９参照）を検出する。なお、これまでの間にカーソル３１０の操作は必要なく、表示領域座標Ｘｓ−Ｙｓ上のどのような位置にあってもよい。
【００７８】
その後に、ＰＣ４は追記記載と追記対象のそれぞれのストロークデータを合成して、ストロークデータ管理テーブル中の追記対象の情報に上書きするよう記憶する。そして、この追記合成されたストロークデータとその関連情報を、追記指令及び端末ＩＤとともにサーバー５へ送信する。サーバー５は追記合成されたストロークデータを受信し、これを記入した新たな仮想付箋紙を作成して、仮想掲示板上の同じ貼付基準位置（ｘｓ，ｙｓ）に元の仮想付箋紙と入れ替えるようにして貼付する。図示する例では、同一の仮想付箋紙の付箋紙座標Ｘｆ−Ｙｆにおいて、追記対象のストロークデータのすぐ後に追記記載のストロークデータを並べるよう追記合成している。これにより、各ＰＣ４の表示部４ａの表示画面上では同等に仮想付箋紙の追記が表示される。
【００７９】
なお、図示する例のように、追記記載を記入した同じＩページ目に既存の記載が複数ある場合には、ＰＣ４はいずれの既存の記載が使用者の意図する追記対象であるかを判定して選出する必要がある。この場合には、同じＩページ目に記載されている各既存の記載のストロークデータをそれぞれ最小の矩形枠４０１，４０２で囲んで記載領域をブロック化し、記入領域座標Ｘｔ−Ｙｔにおける各ブロックの中心位置（ｃｘ，ｃｙ）を算出する。そして追記記載のストロークデータの上記記入開始位置（ｅｘ，ｅｙ）と、それらブロック中心位置（ｃｘ，ｃｙ）それぞれとの間の離間距離Ｄ１，Ｄ２を算出し、最も離間距離が短いブロック中心位置（ｃｘ，ｃｙ）に対応するストロークデータを追記対象として選出する。つまり、ノート３０の記入領域座標Ｘｔ−Ｙｔ上で、追記記載に最も近接する配置の既存の記載を、追記対象の記載として選出する。なお、上記ブロック中心位置（ｃｘ，ｃｙ）が各請求項記載の既存基準位置に相当し、上記記入開始位置（ｅｘ，ｅｙ）が各請求項記載の追記基準位置に相当する。
【００８０】
上記の処理において、使用者による追記操作が行われた場合には、ＰＣ４は図９に示すように追記のストロークデータとともに上記記入開始位置（ｅｘ，ｅｙ）も検出して関連情報に含める。この図９に示した情報に基づいてＰＣ４が追記処理を行うことで、上記図７のストロークデータ管理テーブルの記憶内容は図１０に示すように書き替えられる。
【００８１】
この書き替えの順序としては、まず追記のストロークデータと同じ記入ページ（図示する例ではＩページ目）に記入された全ての既存のストロークデータ（図示する例では、Ｎｏ．１とＮｏ．ｎの２つ）を検索し、それらを矩形枠４０１，４０２で囲んだブロックの中心位置（ｃｘ，ｃｙ）がそれぞれ算出される。そして上記図９に示した記入開始位置（ｅｘ，ｅｙ）と、それらブロック中心位置（ｃｘ，ｃｙ）との間のそれぞれの離間距離Ｄ１，Ｄ２を算出し、最も短い離間距離Ｄ２に対応する既存のストロークデータが追記対象として選出される。その後に、ＰＣ４は選出された追記対象のストロークデータに対して、上記図９に示した追記のストロークデータを追記合成し、上書きして更新する。またこの例では、記入時間も図９に示したものに更新される。
【００８２】
（Ｃ）本実施形態の制御処理
以上のような機能を実現するために、コンピュータであるＰＣ４のＣＰＵ（特に図示せず）で行われる制御処理の内容を、図１１、図１２により順を追って説明する。
【００８３】
まず、図１１において、このフローに示すＰＣ４のＣＰＵの処理は、使用者の操作により仮想付箋紙アプリケーションを起動した際に開始される。なおこのフローにおいては、サーバー５が保持する仮想掲示板を共有表示する処理については説明を省略する。
【００８４】
ステップＳＳ５で、ＣＰＵは、手書き入力装置１においてストロークデータの筆記入力が検出されたか否かを判定する。何らかのストロークデータの筆記入力が検出されるまでループ待機し、筆記入力が検出された場合に、判定が満たされ、ステップＳＳ１０へ移る。
【００８５】
ステップＳＳ１０では、ＣＰＵは、上述したようにセンスコイル部１１０における受信結果に基づいてストロークデータを生成する。なお、このステップＳＳ１０で生成したストロークデータが、各請求項記載の入力ストロークデータに相当する。
【００８６】
そして、ステップＳＳ１５に移り、ＣＰＵは、記入ページ、記入時間、及びその時点のカーソル３１０の位置で指定されている貼付基準位置（ｘｓ，ｙｓ）の関連情報を検出する。
【００８７】
そして、ステップＳＳ２０に移り、ＣＰＵは、上記図７に示したストロークデータ管理テーブルにおいて、上記ステップＳＳ１０で検出したストロークデータと対応付けて、上記ステップＳＳ１５で検出した関連情報を記憶する。
【００８８】
そして、ステップＳＳ２５に移り、ＣＰＵは、特に図示しないＰＣ４の操作部において、使用者による所定の作成操作が行われたか否かを判定する。作成操作が行われた場合、判定が満たされ、ステップＳＳ３０へ移る。
【００８９】
ステップＳＳ３０では、ＣＰＵは、上記ステップＳＳ１０で検出したストロークデータと、上記ステップＳＳ１５で検出した関連情報とを、作成指令及び接続している手書き入力装置１の端末ＩＤとともにサーバー５へ送信する。これにより、サーバー５は受信したストロークデータと関連情報に基づいて新規の仮想付箋紙を作成し、仮想掲示板に貼付する。またこれに伴い、当該仮想掲示板を共有する各ＰＣ４は表示部４ａに新規の仮想付箋紙を貼付表示する。そして、上記ステップＳＳ５に戻り、同様の手順を繰り返す。
【００９０】
一方、上記ステップＳＳ２５の判定において、作成操作が行われていない場合、判定は満たされず、ステップＳＳ３５へ移る。
【００９１】
ステップＳＳ３５では、ＣＰＵは、ＰＣ４の操作部において使用者による所定の追記操作が行われたか否かを判定する。追記操作が行われていない場合、判定は満たされず、ステップＳＳ５へ戻って同様の手順を繰り返す。
【００９２】
一方、追記操作が行われた場合、判定が満たされ、ステップＳＳ４０へ移る。
【００９３】
ステップＳＳ４０では、ＣＰＵは、上記ステップＳＳ１０で検出されたストロークデータが追記記載に対応するものとみなされ、当該追記のストロークデータが記入された記入ページの情報をストロークデータ管理テーブルから取得する。
【００９４】
そして、ステップＳＳ４５に移り、ＣＰＵは、上記ステップＳＳ４０で取得した記入ページと同じページに他の既存のストロークデータが記載されているかをストロークデータ管理テーブルで検索する。なお、このステップＳＳ４５で検索された既存のストロークデータが、各請求項記載の既存ストロークデータに相当する。
【００９５】
そして、ステップＳＳ５０に移り、ＣＰＵは、上記ステップＳＳ４５での検索で他の既存のストロークデータが複数存在しているか否かを判定する。他の既存のストロークデータが複数存在している場合、判定が満たされ、ステップＳＳ１００へ移る。
【００９６】
ステップＳＳ１００では、ＣＰＵは、上記ステップＳＳ４５で検索した複数の既存のストロークデータのうちの１つを追記対象として選出する追記対象選出処理を行う（後述の図１２参照）。そして、ステップＳＳ５５に移る。
【００９７】
一方、上記ステップＳＳ５０の判定において、他の既存のストロークデータが１つしか存在していない場合、判定は満たされず、ステップＳＳ５５へ移る。なお、この場合には、当該１つの既存のストロークデータが追記対象のものであるとみなす。
【００９８】
ステップＳＳ５５では、ＣＰＵは、追記対象である１つの既存のストロークデータとその関連情報に対して、追記のストロークデータとその関連情報を追記合成し、ストロークデータ管理テーブルを更新する。
【００９９】
そして、ステップＳＳ６０に移り、ＣＰＵは、上記ステップＳＳ５５で追記合成したストロークデータとその関連情報を、追記指令及び端末ＩＤとともにサーバー５へ送信する。これにより、サーバー５は受信したストロークデータを記入した仮想付箋紙を元の仮想付箋紙と入れ替えるようにして仮想掲示板に貼付する。そして、ステップＳＳ５に戻り、同様の手順を繰り返す。
【０１００】
次に、上記ステップＳＳ１００の追記対象選出処理で行われる制御処理の詳細を、図１２により順を追って説明する。
【０１０１】
まずステップＳＳ１０５では、ＣＰＵは、上記ステップＳＳ４５で検索した複数の既存のストロークデータのそれぞれを、上記図８に示したように最小の矩形枠４０１，４０２で内接するよう囲み、その記載領域をブロックとしてまとめる。なお、上述したように、元のストロークデータ自体が、記入領域座標Ｘｔ−Ｙｔ上のペン接触位置（ｘｔ，ｙｔ）の集合で構成されているため、上記ブロックは記入領域座標Ｘｔ−Ｙｔ上の矩形領域として容易に生成できる。
【０１０２】
そして、ステップＳＳ１１０に移り、ＣＰＵは、上記ステップＳＳ１０５で生成した各ブロックのそれぞれの中心位置（ｃｘ，ｃｙ）を算出する。
【０１０３】
そして、ステップＳＳ１１５に移り、ＣＰＵは、追記のストロークデータの記入開始位置（ｅｘ，ｅｙ）を検出する。
【０１０４】
そして、ステップＳＳ１２０に移り、ＣＰＵは、上記ステップＳＳ１１５で検出した記入開始位置（ｅｘ，ｅｙ）と、上記ステップＳＳ１１０で算出した各ブロック中心位置（ｃｘ，ｃｙ）それぞれとの間の離間距離を算出する。なお、これら記入開始位置（ｅｘ，ｅｙ）と各ブロック中心位置（ｃｘ，ｃｙ）はいずれも記入領域座標Ｘｔ−Ｙｔ上の位置情報であるため、容易に算出できる。
【０１０５】
そして、ステップＳＳ１２５に移り、ＣＰＵは、上記ステップＳＳ１２０で算出した複数の離間距離を比較し、そのうち最も短いものに対応するブロックを選出する。
【０１０６】
そして、ステップＳＳ１３０に移り、ＣＰＵは、上記ステップＳＳ１２５で選出したブロックに対応するストロークデータを追記対象に設定する。そして、このフローを終了する。
【０１０７】
以上において、上記図１１及び上記図１２の各フローにおけるステップＳＳ１０の手順が各請求項記載の入力ストロークデータ生成手段及び入力ストロークデータ生成手順に相当し、ステップＳＳ２５とステップＳＳ３５の手順が選択手段及び選択手順に相当し、ステップＳＳ１１０とステップＳＳ１１５の手順がデータ基準位置取得手段及びデータ基準位置取得手順に相当し、ステップＳＳ１２０、ステップＳＳ１２５、及びステップＳＳ１３０の手順が近接データ取得手段及び近接データ取得手順に相当し、ステップＳＳ６０の手順がデータ追記手段及びデータ追記手順に相当する。
【０１０８】
以上説明したように、本実施形態の仮想付箋紙入力表示システムＳにおいては、ＰＣ４の表示部４ａに大量の仮想付箋紙が表示されてそれらが重複するなどにより容易に見分けがつかない状況であっても、使用者は過去に手書き入力装置１のノート３０に記載した筆記内容を探してその記載領域の近傍に追記内容を筆記することで、自動的に対応する既存のストロークデータに追記のストロークデータを追記することができる。この結果、複数の仮想付箋紙が表示されている場合でも、追加記入する対象の仮想付箋紙を容易に探索して追記でき、使用者の利便性を向上できる。
【０１０９】
なお、本実施形態では、上記図１１及び上記図１２の各フローに記載した各手順を全てＰＣ４のＣＰＵだけで処理したが、本発明はこれに限られない。他にも、それら各手順と同等の手順を、他の手書き入力装置１やサーバー５にも適宜分担して実行させたり、または手書き入力装置１又はサーバー５のいずれかに全て実行させてもよい。
【０１１０】
例えば、サーバー５が、上記端末ＩＤに対応付けて個別にストロークデータ管理テーブルを記憶し、請求項４に記載の近接データ取得手段に相当するステップＳＳ１２０、ステップＳＳ１２５、及びステップＳＳ１３０と同等の手順と、請求項４に記載のデータ追記手段に相当するステップＳＳ６０と同等の手順を実行してもよい。つまり、サーバー５が各ＰＣ４を介して複数の手書き入力装置１と接続する点は上記実施形態と同様であるが、主に当該サーバー５の記憶部が、各手書き入力装置１に割り当てられた端末ＩＤに対応付けて既存の仮想付箋紙に関するストロークデータと関連情報を記憶管理する。そして、サーバー５がステップＳＳ１２０、ステップＳＳ１２５、及びステップＳＳ１３０と同等の手順と、ステップＳＳ６０と同等の手順とを実行することで、各ストロークデータを生成した手書き入力装置１の端末ＩＤに対応して記入開始位置（ｅｘ，ｅｙ）、ブロック中心位置（ｃｘ，ｃｙ）、及び既存のストロークデータを処理する。これにより、複数の手書き入力装置１の間で情報が混乱することなく、機能的な並列処理が可能となる。
【０１１１】
また例えば、手書き入力装置１が備える上記マイコン８０のＣＰＵ８０ａが、上記図１１及び上記図１２の各フローに記載した各手順と同等の手順を全て実行してもよい。この場合、ＰＣ４を備えずに各手書き入力装置１を直接通信ネットワークＮＷに接続してサーバー５と直接情報を送受信してもよく、仮想付箋紙を表示する表示装置を各手書き入力装置１に設けるか、又は１つの表示装置をサーバー５に直接接続して表示させる。なお、この場合の手書き入力装置１が、請求項１に記載の仮想付箋紙入力操作端末に相当する。また、この場合の表示装置が請求項１に記載の表示手段に相当し、サーバー５が請求項１に記載の仮想付箋紙管理装置に相当する。この変形例においても、上記実施形態と同様の効果を得ることができる。
【０１１２】
そして、通常では追記目的の記載を行う場合、追記対象である過去の記載の近傍位置から追記の記載を開始することが自然である。したがって、この変形例では特に、ノート３０の記入領域座標Ｘｔ−Ｙｔにおけるストロークデータの記入開始位置（ｅｘ，ｅｙ）を離間距離の基点位置とすることで、ノート３０上に多くの過去の記載がある場合でも、追記対象の過去の記載を判定する精度を向上できる。
【０１１３】
また例えば、サーバー５が備えるＣＰＵ（図示省略）が、上記図１１及び上記図１２の各フローに記載した各手順と同等の手順を全て実行してもよい。この場合においても、ＰＣ４を備えずに各手書き入力装置１をサーバー５に直接接続してもよく、仮想付箋紙を表示する表示装置を各手書き入力装置１に設けるか、又は１つの表示装置をサーバー５に直接接続させる。なお、この場合のサーバー５が、請求項３に記載の仮想付箋紙管理装置に相当する。また、この場合の表示装置が請求項３に記載の表示手段に相当する。この変形例においても、上記実施形態と同様の効果を得ることができる。
【０１１４】
また、上記実施形態では、ストロークデータを構成する電子ペン２の位置情報の検出を、当該電子ペン２側のコイル４４と、座標検出装置３側のセンスコイルＸ１〜Ｘｍ，Ｙ１〜Ｙｎとの間の磁気結合を利用したいわゆるアクティブ型磁気結合方式により行ったが、本発明はこれに限られない。他にも、パッシブ型磁気結合方式、超音波方式、もしくはノート３０にあらかじめ印刷された点や模様を電子ペン２に備えたカメラで撮像してその点や模様の動きを検出する方式などにより電子ペン２の位置情報を検出してもよい。または、各方式によるタッチパネルにより電子ペン２の位置情報を検出してもよい。これらの場合には、電子ペン２の位置情報を検出する構成が、各請求項記載の位置検出手段に相当する。また、ノート３０の筆記面３１Ｌ，３１Ｒ上の記入領域座標Ｘｔ−Ｙｔに対応して電子ペン２の位置を検出可能な上記検出構成での領域座標が、各請求項記載の位置検出手段の有効領域座標に相当する。
【０１１５】
なお、以上において、図１、図４等の各図中に示す矢印は信号の流れの一例を示すものであり、信号の流れ方向を限定するものではない。
【０１１６】
また、図１１、図１２等に示すフローチャートは本発明を上記フローに示す手順に限定するものではなく、発明の趣旨及び技術的思想を逸脱しない範囲内で手順の追加・削除又は順番の変更等をしてもよい。
【０１１７】
また、以上既に述べた以外にも、上記実施形態や各変形例による手法を適宜組み合わせて利用しても良い。
【０１１８】
その他、一々例示はしないが、本発明は、その趣旨を逸脱しない範囲内において、種々の変更が加えられて実施されるものである。
【符号の説明】
【０１１９】
１                手書き入力装置（表示オブジェクト入力操作端末）
２                電子ペン（電子筆記具）
３                座標検出装置
４                パーソナルコンピュータ（表示手段）
４ａ              表示部
５                サーバー（表示オブジェクト管理装置）
３０              ノート（被筆記体）
４１              ＬＣ発振回路
４４              コイル（磁界送信用コイル）
１１０            センスコイル部（位置検出手段）
３０１〜３０５    仮想付箋紙（表示オブジェクト）
Ｘ１〜Ｘｍ        センスコイル（位置検出手段）
Ｙ１〜Ｙｎ        センスコイル（位置検出手段）
Ｓ                仮想付箋紙入力表示システム（表示オブジェクト入力表示システム）
【図１】
2012208593.tif 000003
【図２】
2012208593.tif 000004
【図３】
2012208593.tif 000005
【図４】
2012208593.tif 000006
【図５】
2012208593.tif 000007
【図６】
2012208593.tif 000008
【図７】
2012208593.tif 000009
【図８】
2012208593.tif 000010
【図９】
2012208593.tif 000011
【図１０】
2012208593.tif 000012
【図１１】
2012208593.tif 000013
【図１２】
2012208593.tif 000014